(57)【要約】【課題】ランニングコストの低減およびプルダウン時間の短縮を図ることのできるペーパーパック自動販売機および冷却装置の冷却制御方法を提供する。【解決手段】ペーパーパック自動販売機１は、庫内に収納されたペーパーパック商品を冷気流により冷却する冷却装置３０と、冷却装置３０から送出された冷気を庫内の全領域に循環させる全領域送風或いは下方部領域に循環させるゾーンクーリングのいずれかに切り換える機能を備えた送風切り換えガイド手段３４と、庫内の温度を検出するサーミスタ３６と、このサーミスタ３６により検出された温度に基づいて、送風切り換えガイド手段によりゾーンクーリングと全領域冷却との切り換えを制御する送風切り換え制御装置３９とを備える。【選択図】      図１
2004258784.tif 000002
【特許請求の範囲】
【請求項１】
庫内に収納された複数のペーパーパック商品をコールド商品として冷却するペーパーパック自動販売機において、
前記ペーパーパック自動販売機は、前記庫内に収納されたペーパーパック商品を冷気による循環送風により冷却する冷却装置と、
前記冷却装置から送出された冷気を庫内の全領域に循環させる全領域送風制御或いは庫内の下方部領域に循環させるゾーンクーリング送風制御のいずれかに切り換える機能を備えた送風切り換えガイド手段と、
前記庫内の温度を検出する温度検出手段と、当該温度検出手段により検出された温度に基づいて、前記送風切り換えガイド手段の作動を制御する送風切り換え制御装置とを備えたことを特徴とするペーパーパック自動販売機。
【請求項２】
前記冷却装置は、冷却器および送風ファンとを内部に有する風胴部により構成されるとともに、当該風胴部は吹出ダクトを備え、当該吹出ダクトの内部に前記送風切り換えガイド手段を備えたことを特徴とする請求項１に記載のペーパーパック自動販売機。
【請求項３】
前記送風ガイド切り換え手段は、送風ガイド板と、当該送風ガイド板の作動をおこなう電磁ソレノイドとを備え、当該電磁ソレノイドによるＯＮ／ＯＦＦ制御により冷気流の切り換えをおこなうことを特徴とする請求項１または２に記載のペーパーパック自動販売機。
【請求項４】
前記送風切り換え制御装置は、前記温度検出手段により検出された温度が基準冷却温度に到達直前まで温度上昇した場合、庫内の下方部領域に冷気を循環させるゾーンクーリング制御をおこない、前記温度が基準冷却温度のほぼ半分程度まで温度低下が検出された場合、前記送風ガイド切り換え手段の切り換えにより全領域冷却制御をおこなうことを特徴とする請求項１、２または３に記載のペーパーパック自動販売機。
【請求項５】
庫内に収納された複数のペーパーパック商品をコールド商品として冷却するペーパーパック自動販売機の冷却装置による冷却制御方法において、前記庫内の下方部領域を冷気流により冷却するゾーンクーリング工程と、前記庫内の全領域を冷却する全領域冷却工程と、庫内に設けた温度検出手段により庫内温度を検出する温度検出工程と、当該温度検出工程により検出された温度に基づいて、前記ゾーンクーリング制御工程と全領域クーリング制御工程とのいずれかの冷却制御工程に切り換える送風切り換え制御工程とを備えたことを特徴とする冷却装置による冷却制御方法。
【発明の詳細な説明】
【０００１】
【発明の属する技術分野】
本発明は、シロップ飲料、コーヒー飲料、乳製品飲料などの各種ペーパーパック商品をコールド商品として販売するペーパーパック自動販売機に関するもので、特に、庫内に設けた温度検出手段により検出された温度に基づいて、ゾーンクーリングと全領域冷却との切り換えを制御することによりプルダウン時間の短縮を図ることのできるペーパーパック自動販売機および冷却装置による冷却制御方法に関する。
【０００２】
【従来の技術】
従来から、缶コーヒー飲料などを販売する缶商品専用の自動販売機とともに、商品購入の手軽さからコーヒー飲料、乳製品飲料などの各種飲料をペーパーパック商品として販売するペーパーパック自動販売機が広く普及している。このようなペーパーパック自動販売機の庫内に、牛乳などの乳製品飲料を収納（保存）する場合には、品質保持の点から商品を所定の低温温度（１０℃以下）まで冷却する必要がある。
【０００３】
このため、ペーパーパック自動販売機の庫内には、冷却器（エバポレータ）および送風ファンからなる冷却装置を備えている。そして、この冷却装置により庫内の全域を冷却することがおこなわれている。具体的には、冷却装置のエバポレータを作動させ、冷却装置の送風ファンから吹出させた冷気流により庫内の全領域を循環送風する全領域冷却がおこなわれている。これにより、牛乳パック商品の品質を保持できるとともに、ユーザが商品を購入する時には飲み頃の温度とすることができる。
【０００４】
また、この種のペーパーパック自動販売機における冷却装置の冷却制御方法としては、送風切り換えガイド手段を備えることにより、ラック内に収納した商品のうち販売順位の早い商品（以下、『ＮＥＸＴ商品』と称する。）をゾーンクーリング制御により優先的に冷却した後、送風切り換えガイド手段の作動により全域冷却制御に切り換えるようにした冷却装置の冷却制御方法が知られている（例えば、特許文献１参照）。
【０００５】
【特許文献１】
特開２００２−５６４４９号公報
【０００６】
【発明が解決しようとする課題】
ところが、上述した従来のペーパーパック自動販売機における冷却装置による冷却制御方法では以下のような問題がある。すなわち、前述したように従来では、販売直前となるＮＥＸＴ商品に対するゾーンクーリング制御が完了した後に、送風切り換えガイド手段を作動させ、このゾーンクーリング制御から自販機内（庫内）の全域を冷却する全域冷却制御をおこなっているが、この切り換え時には、庫内の上部に残存していた常温空気が循環により、庫内の下方部に到達し、これにより初期のゾーンクーリング制御により所定の温度まで冷却されていたＮＥＸＴ商品が温められてしまうという問題がある。
【０００７】
この場合、再度、ゾーンクリーニング制御を実施する必要が生じるため、このＮＥＸＴ商品が販売適正温度まで冷却されるまでに時間を要する結果となる。具体的には、自販機の電源ＯＮから販売可能となるまでの時間（プルダウン時間）が長くなるため販売タイミングを逃すこととなり好ましくないという問題がある。以下、図９を参照してプルダウン時間に関する問題点について説明する。
【０００８】
図９は、ペーパーパック自動販売機の庫内温度およびＮＥＸＴ商品の温度に基づくプルダウン時間との相関図を示している。ここで、線図ａは、ゾーンクーリング制御を実施しない全領域冷却制御によるプルダウン時間の推移を示すグラフである。同図より明らかなように、全領域冷却制御のみでは、庫内に収納された商品の温度が基準冷却温度Ｔ１（１０℃以下）になるまで長い準備時間を要することがわかる。
【０００９】
また、線図ｂは、従来のゾーンクーリング制御によるプルダウン時間の推移を示すグラフである。この場合、同図に示すように初期のゾーンクーリングにより一時的に、庫内の温度は、基準冷却温度Ｔ１（１０℃以下）まで低下するが、ゾーンクーリング制御から全領域冷却制御に切り換えた際には、前述したように庫内上部側の常温空気による循環によって下方部の温度（ＮＥＸＴ商品の保冷温度）が基準冷却温度Ｔ１（１０℃以下）よりも高くなる。これは、庫内温度を１０℃以下に保冷しなければならないという食品衛生法上の観点からも問題となる。
【００１０】
以上のように、従来の冷却装置による冷却方法では、商品補給後の販売再開（電源ＯＮ）からラック内の下部領域に収納したＮＥＸＴ商品が販売適温度に冷却されるまでに長い準備時間（プルダウン時間）を要するうえ、必要以上に電力を消費するという問題がある。
【００１１】
本発明は上記実情に鑑みてなされたものであり、ペーパーパック自動販売機の庫内に設けた温度検出手段により検出された温度に基づいて、送風切り換えガイド手段の作動を制御することによりプルダウン時間の短縮および省エネ効率の向上を図ることができるペーパーパック自動販売機および冷却装置の冷却方法を提供することを目的とする。
【００１２】
【課題を解決するための手段】
上記目的を達成するために、本発明の請求項１に係るペーパーパック自動販売機は、庫内に収納された複数のペーパーパック商品をコールド商品として冷却するペーパーパック自動販売機において、前記ペーパーパック自動販売機は、前記庫内に収納されたペーパーパック商品を冷気による循環送風により冷却する冷却装置と、前記冷却装置から送出された冷気を庫内の全領域に循環させる全領域送風或いは庫内の下方部領域に循環させる下方部領域送風のいずれかに切り換える機能を備えた送風切り換えガイド手段と、前記庫内の温度を検出する温度検出手段と、当該温度検出手段により検出された温度に基づいて、前記送風切り換えガイド手段の作動を制御する送風切り換え制御装置とを備えたことを特徴とする。
【００１３】
また、本発明の請求項２に係るペーパーパック自動販売機は、上述した請求項１において、前記冷却装置は、冷却器および送風ファンとを内部に有する風胴部により構成されるとともに、当該風胴部は、この風胴部に連結された吹出ダクトを備え、当該吹出ダクトの内部に前記送風切り換えガイド手段を備えたことを特徴とする。
【００１４】
また、本発明の請求項３に係るペーパーパック自動販売機は、上述した請求項１または２において、前記送風ガイド切り換え手段は、送風ガイド板と、当該送風ガイド板の作動をおこなう電磁ソレノイドとを備え、前記電磁ソレノイドによるＯＮ／ＯＦＦ制御により冷気流の切り替えをおこなうことを特徴とする。
【００１５】
また、本発明の請求項４に係るペーパーパック自動販売機は、上述した請求項１、２または３において、前記送風切り換え制御装置は、前記温度検出手段により検出された温度が販売適温温度である基準冷却温度まで温度上昇した場合、庫内の下方部領域に冷気を循環させるゾーンクーリングをおこない、前記基準冷却温度のほぼ半分程度まで温度低下が検出された場合、全領域冷却制御をおこなうことを特徴とする。
【００１６】
また、本発明の請求項５に係る冷却装置による冷却制御方法は、庫内に収納された複数のペーパーパック商品をコールド商品として冷却するペーパーパック自動販売機の冷却制御方法において、前記ペーパーパック自動販売機の庫内の下方部領域を冷気流により冷却するゾーンクーリング工程と、前記庫内の全域を冷却する全領域冷却工程と、温度検出手段による温度検出工程と、前記温度検出工程により検出された温度に基づいて、前記ゾーンクーリング制御工程と全領域クーリング制御工程とのいずれかの冷却工程を切り換える送風切り換え制御工程とを備えたことを特徴とする。
【００１７】
【発明の実施の形態】
以下に添付図面を参照して、本発明に係るペーパーパック自動販売機および冷却装置による冷却制御方法の好適な実施の形態について詳細に説明する。ここで、本発明の特徴は、ペーパーパック自動販売機の庫内に、この庫内温度を検出するサーミスタ３６を設けるとともに、このサーミスタ３６により検出された温度に基づいて、送風切り換え制御装置３９により全領域冷却制御とゾーンクーリング制御との切り換えを制御することにより、ＮＥＸＴ商品の温度を基準冷却温度（１０℃以下）に保冷することにある。
【００１８】
図１は、本発明の実施の形態であるペーパーパック自動販売機の概略構成を示す側面図である。また、図２は、ペーパーパック自動販売機の下方部を示す拡大図である。ここで、図１、２において、実線矢印はゾーンクーリング制御による循環送風の経路、鎖線矢印は全領域冷却による循環送風の経路をそれぞれ示している。
【００１９】
すなわち、図１で例示するペーパーパック自動販売機１は、コーヒー飲料、乳製品飲料などの各種飲料をペーパーパック商品として販売するための自動販売機で、本体キャビネット１０および前面外扉２０を備えて構成してある。
【００２０】
本体キャビネット１０は、前面（図１の右側）が開口した直方体状を成すもので、この本体キャビネット１０の内部に、ペーパーパック商品を上下に積み上げて収納する直積式のラック２１を搭載している。また、直積式ラック２１下方部には、このラック２１から落下（搬出）させた商品を商品取出口２３に搬出する水平コンベヤ２４を設けている。
【００２１】
そして、このラック２１内に収納された商品は、ユーザによる購入指示（販売指令）に基づくベンド機構（図示せず）の作動によりラック２１内（各コラム毎）に収納した商品を最下位の商品から順に下方に落下させるとともに、水平コンベヤ２４により商品取出口２３から搬出するようしている。
【００２２】
また、図２に詳示するようにペーパーパック自動販売機１を構成する庫内の底部側には、冷却装置３０を備えている。３４は、図示しないコンプレッサなどが内部に設けられたコンデンシングユニットである。
【００２３】
冷却装置３０は、エバポレータ３１（蒸発器）、送風ファン３２とを内部に備えた風胴３３により構成されており、庫内の前方（図２の右側）に開口した吸込口から吸引した庫内空気をエバポレータ３１により冷却し、送風ファン３２による送風で吹出ダクト４０を通じて庫内に吹き出すことができる。また、この冷却装置４０の近傍位置には、庫内の温度を検出するためのサーミスタ３６（温度検出手段）が設けられている。
【００２４】
図３（ａ）、（ｂ）に示すように、冷却装置３０を構成する風胴３３の後端側には庫内の上方部に向けた上端開口部４１を有する吹出ダクト４０が連結されており、この吹出ダクト４０の内部には送風切り換えガイド手段４２が備えられ、この開口部４１を通じて庫内の全領域に冷気流を循環させる全領域冷却をおこなうことができる。さらに、吹出ダクト４０の側面部にも送風口４３が開口しており、この送風口４３を通じて庫内の下方部に向けて冷気を送風するゾーンクーリングをおこなうことができる。
【００２５】
以下、図３（ａ）、（ｂ）を参照して送風切り換えガイド手段の詳細を説明する。すなわち、図３（ａ）、（ｂ）に示すように、送風切り換えガイド手段４２は、送風ガイド板４５と、この送風ガイド板４５の基端部を軸支する回動軸４６とを備えており、回動軸４６は、吹出ダクト４０の内壁面に取付け固定されるとともに、この回転軸４６は、電磁ソレノイド５０（図４）に連結されている。
【００２６】
図３（ａ）は、ゾーンクーリング制御時の送風切り換えガイド手段の作動を説明する図である。すなわち、ゾーンクーリング制御をおこなう場合には、電磁ソレノイド５０のＯＮ制御により送風ガイド板４５を時計方向に回動する。これにより、送風ガイド板４５が回動軸４６を支点として時計方向に揺動し、ほぼ４５°の角度の位置に停止して吹出ダクト４０の上端開口部４１を閉塞する。これにより、冷却装置４０から送風された冷気は上端開口部４１ではなく送風口４３から送出（実線矢印）されるため、庫内の下方部に収納されたＮＥＸＴ商品に対する冷却をおこなうことができる。
【００２７】
図３（ｂ）は、全領域冷却制御時の送風切り換えガイド手段の作動を説明する図である。すなわち、全領域冷却制御をおこなう場合には、電磁ソレノイド５０（図４）のＯＦＦ制御により送風ガイド板４５を反時計方向に回動する。これにより、回動した送風ガイド板４５により送風口４３が閉塞するため、冷却装置３０から送風された冷気は上端開口部４１を通じて庫内の上部側に送出され（図中、鎖線矢印）、この送出された冷却流により庫内の全体領域冷却がおこなわれるものとなる。
【００２８】
図４は、上述したペーパーパック自動販売機における冷却装置に関する制御系を示す機能ブロック図である。同図に示すように、ペーパーパック自動販売機１に備えられる制御部１５には、エバポレータ３１（冷却器）およびコンデンシングユニット３４を有する冷却装置３０、送風ファン３２および送風ファン駆動用の送風モータ３５、送風切り換え制御装置３９、送風切り換えガイド手段４２、電磁ソレノイド５０、庫内の温度を検出するサーミスタ３６（温度検出手段）が接続されている。
【００２９】
送風切り換え制御装置３９は、サーミスタ３６により検出された庫内温度に基づいて送風切り換えガイド手段４２を作動させゾーンクーリング制御と全領域冷却制御との切り換えをおこなう機能を備えている。送風ファン３２は、送風モータ３５により駆動されるとともに、冷却装置４０からの冷却空気を庫内に循環させる機能を備えている。制御部１５は、これら各構成要素の動作を統括的に制御する機能を備えている。
【００３０】
図５は、本発明のペーパーパック自動販売機の全体制御構成を示すフローチャートである。すなわち、本発明のペーパーパック自動販売機における冷却装置による冷却制御方法は、（１）ゾーンクーリング工程（ステップＳ５１０）、（２）全領域冷却工程（ステップＳ５２０）、（３）温度検出工程（ステップＳ５３０）、（４）送風切り換え制御工程（ステップＳ５４０）の４つの処理工程により構成されている。先ず、これら（１）〜（４）の各処理工程について簡単に説明する。
【００３１】
（１）ゾーンクーリング工程は、ペーパーパック自動販売機の庫内の下方部領域を冷気流により冷却する処理工程である。（２）全領域冷却工程は、庫内の全領域を冷却する制御工程である。（３）温度検出工程は、温度検出手段であるサーミスタ３６により庫内の温度を検出する処理工程である。（４）送風切り換え制御工程は、サーミスタ３６により検出された温度に基づいて、送風切り換え手段４２を作動させゾーンクーリング制御工程と全領域クーリング制御工程とのいずれかに冷却工程を切り換える処理工程である。
【００３２】
以下、本発明におけるペーパーパック自動販売機における冷却制御方法の詳細について、図６、７を参照して説明する。図６は、ペーパーパック自動販売機のイニシャルプルダウン時における冷却制御方法の処理手順を示すフローチャート、図７は、ペーパーパック自動販売機の運転時における冷却制御方法の処理手順を示すフローチャート、図８は、本実施の形態を適用した際のＮＥＸＴ商品のプルダウン時間の推移を示すグラフをそれぞれ示している。
【００３３】
すなわち、図６のフローチャートに示すように、先ず、ペーパーパック自動販売機１におけるイニシャルプルダウン時の状態を電源ＯＮの有無などにより判断し（ステップＳ６００）、この電源ＯＮ時には（ステップＳ６００肯定）、ゾーンクーリングによる冷却制御をおこなう（ステップＳ６１０）。ここで、イニシャルプルダウン時とは、電源ＯＮ時以外に、新規に自動販売機を設置した時、通常のローディング時のタイミングをいう。また、前述したように、ゾーンクーリング制御とは、最初に販売するＮＥＸＴ商品の冷却をおこなう目的で、庫内の下方部に向けて冷却装置３０からの冷気を循環送風させる制御である。
【００３４】
次いで、サーミスタ３６により庫内の温度を検出する（ステップＳ６２０）、そして、このサーミスタ３６により検出された検出温度に基づいて庫内の温度が基準冷却温度（１０℃以下）であるか否かの判定をおこない、（ステップＳ６３０）、庫内の温度が基準冷却温度（１０℃以下）である場合には（ステップＳ６３０肯定）、送風切り換えガイド手段４２（図４）を作動させることにより全領域冷却制御をおこなう（ステップＳ６４０）。ここで、前述したように全領域冷却制御とは、庫内の全領域に対して冷却装置３０からの冷気を循環送風させる制御である。以上が、ペーパーパック自動販売機のイニシャルプルダウン時における冷却制御方法の処理手順である。
【００３５】
次に、ペーパーパック自動販売機の運転時における処理手順を説明する。すなわち、先ず、自販機運転の有無を判断し（ステップＳ７００）、運転時には（ステップＳ７００肯定）、サーミスタ３６により庫内の温度を検出する（ステップＳ７１０）。そして、このサーミスタ３６により検出された温度Ｔが基準冷却温度Ｔ１（１０℃以下）に近づいているかの判定をおこない（ステップＳ７２０）。
【００３６】
このステップＳ７２０による判定により温度Ｔが基準冷却温度Ｔ１（１０℃）に近づいている場合には（ステップＳ７２０肯定）、再度、ゾーンクーリング制御によるゾーンクーリング制御工程をおこなう（ステップＳ７２１）。このステップ７２０における温度Ｔが基準冷却温度Ｔ１（１０℃以下）に近づいているかの判定処理は、ヘルスコードが作動しないように、温度Ｔが一度１０℃以下のなった場合に、再度、温度Ｔが１０℃以上にならないようにするためである。
【００３７】
一方、ステップＳ７２０の判定により温度Ｔが基準冷却温度Ｔ１に近づいていない場合には（ステップＳ７２０否定）、次いで、ステップＳ７３０により検出された温度Ｔが適温温度Ｔ２以下であるかの判定をおこなう（ステップＳ７３０）。ここで、適温温度Ｔ２とは、ユーザがコールド飲料を飲み頃とする温度であり、具体的には、基準冷却温度Ｔ１のほぼ半分程度まで冷却温度が低下した温度Ｔを示している。ここで、適温温度Ｔ２の温度値を、基準冷却温度Ｔ１のほぼ半分程度の温度値と選定するのは、全領域冷却制御からゾーンクーリング制御に切り換わる温度との間で幅をもつことにより送風切り換え手段４２による作動回数を低減させるためである。
【００３８】
そして、このステップＳ７３０の判定により温度Ｔが適温温度Ｔ２以下である場合には（ステップＳ７３０肯定）、全領域冷却制御をおこなう（ステップＳ７３１）。具体的には、図３（ｂ）に示すように、送風切り換えガイド手段４２を作動させて送風ガイド板３５を閉じることにより、庫内の全領域に対する全領域冷却制御をおこなう。また、ステップＳ７４０の判定により温度Ｔが適温温度Ｔ２＜温度Ｔ＜基準冷却温度Ｔ１である場合には、そのままの制御を継続しておこなう。
【００３９】
以下、図８を参照して本発明による作用効果を説明する。ここで、線図Ｐは、本発明によるＮＥＸＴ商品に関するのプルダウン時間の推移を示すグラフである。すなわち、図８に示すように、サーミスタ３６により温度検出をおこない、庫内の温度Ｔが適温温度Ｔ２から基準冷却温度Ｔ１に近いづいたと判断した場合には（線図のＡ点）、この時点で全領域冷却制御からゾーンクーリング制御に切り換える制御をおこなう。このため、温度Ｔが基準冷却温度Ｔ１に到達する以前に、この庫内温度Ｔを適温温度Ｔ２まで低下させることができる（線図のＢ点）。
【００４０】
一方、再度温度Ｔが適温温度Ｔ２に近づいたと判断した際には、再度、ゾーンクーリング制御から全領域冷却制御に切り換える冷却制御をおこなう。以上のように、本発明では、全領域冷却制御からゾーンクーリング制御への冷却制御を繰り返しおこなうことにより温度Ｔを適温温度Ｔ２と基準冷却温度Ｔ１との範囲で安定させることができる。ここで、冷却装置３０を作動させるＯＮ／ＯＦＦ制御もサーミスタ３６により検出される温度に基づいておこなわれるが、この場合、上述した送風切り換え制御装置３９とは異なる制御となる。
【００４１】
以上のように、本発明では、ペーパーパック自動販売機に、庫内の温度を検出するサーミスタを備えており、このサーミスタにより検出された温度に基づいて、送風切り換えガイド手段の作動を制御することによりゾーンクーリング制御と全領域冷却制御とを交互におこなうので、商品の温度を規定の販売温度に冷却および保冷を維持することができる。これにより、商品補給後の販売再開（電源ＯＮ）からラック内の下部領域に収納した商品が販売適温に冷却されるまでにプルダウン時間の短縮を図ることができる。具体的には、季節の変わり目におこなうホット商品からコールド商品への運転切り換え時にも、ＮＥＸＴ商品に対する冷却時間（プルダウン時間）を短縮することができる。
【００４２】
また、ペーパーパック自動販売機により販売される商品が乳製品など低温冷却により品質を保持する必要がある商品の場合、食品衛生法の規制により一度１０℃以下に冷却された商品が、何らかの原因により１０℃以上（一定時間継続）となった場合には警告（ヘルスコード）が作動するようになっているが、本発明では、この「ヘルスコード」の作動を確実に回避することができる。
【００４３】
なお、上述した実施の形態では風向ガイド機構１０を作動させるアクチュエータとして、電磁ソレノイドを採用しているが、これに限定されるのもではなく、その他、例えばリンク機構などによりガイド板の作動を制御することもできる。また、上述した実施の形態では、特にペーパーパック商品を発売するためのペーパーパック自動販売機１を例示しているが、本発明は、その他の飲料を販売するものにも、もちろん適用することが可能である。
【００４４】
【発明の効果】
以上述べたように、本発明の請求項１に係るペーパーパック自動販売機によれば、庫内の温度を検出する温度検出手段により検出された温度に基づいて、送風切り換えガイド手段の作動を制御することにより全領域冷却制御とゾーンクーリング制御との切り換えによりＮＥＸＴ商品の温度を常時、基準冷却温度に保冷することができるので、プルダウン時間の短縮を図ることができるうえ、消費電力の低減を図ることができるという効果がある。また、ペーパーパック自動販売機の設置後のランニングコストを低減できることから、省エネを実現でき、これにより地球温暖化防止に寄与することができる。
【００４５】
また、請求項２に係るペーパーパック自動販売機によれば、冷却装置は、冷却器および送風ファンとを内部に有する風胴部により構成されるとともに、風胴部は、この風胴部に連結された吹出ダクトを備え、この吹出ダクトの内部に送風切り換えガイド手段を備えているので、この送風切り換えガイド手段の作動により全領域冷却制御とゾーンクーリング制御との切り換えを確実におこなうことができる。
【００４６】
また、請求項３に係るペーパーパック自動販売機によれば、送風ガイド切り換え手段は、送風ガイド板と、当該送風ガイド板の作動をおこなう電磁ソレノイドとを備え、前記電磁ソレノイドによるＯＮ／ＯＦＦ制御により冷気流の切り換えおこなうことができるので、この電磁ソレノイドの作動により全領域冷却制御とゾーンクーリング制御との切り換えを確実におこなうことができる。
【００４７】
また、請求項４に係るペーパーパック自動販売機によれば、送風切り換え制御装置は、前記温度検出手段により検出された温度が販売適温温度である基準冷却温度まで温度上昇した場合、庫内の下方部領域に冷気を循環させるゾーンクーリング制御をおこない、温度が基準冷却温度のほぼ半分程度まで温度低下が検出された場合、送風ガイド切り換え手段の切り換えにより全領域冷却制御をおこなうので、商品補給後の販売再開（電源ＯＮ）からラック内の下部領域に収納したＮＥＸＴ商品が販売適温に冷却されるまでに長い準備時間を要することがなく、プルダウン時間の短縮を図ることができるうえ、消費電力の低減を図ることができるという効果がある。
【００４８】
また、請求項５に係る冷却装置による冷却制御方法によれば、庫内の下方部領域を冷気流により冷却するゾーンクーリング工程と、前記庫内の全領域を冷却する全領域冷却工程と、庫内に設けた温度検出手段により庫内温度を検出する温度検出工程と、当該温度検出工程により検出された温度に基づいて、前記ゾーンクーリング制御工程と全領域クーリング制御工程とのいずれかの冷却制御工程に切り換える送風切り換え制御工程とを備えるので、温度検出工程により検出された庫内温度に基づいて、送風切り換え制御工程により全領域冷却制御工程からゾーンクーリング制御工程に冷却制御を切り換えるので、庫内上方部から循環される常温空気の循環を抑えることにより、ＮＥＸＴ商品の温度上昇を防止し、これにより、プルダウン時間の短縮を図ることができるうえ、冷却装置の運転率の低減に伴い消費電力の低減を図ることができるという効果を奏する。
【図面の簡単な説明】
【図１】本発明の実施の形態であるペーパーパック自動販売機の全体概略構成を示す側面図である。
【図２】図１に示したのペーパーパック自動販売機の下方部拡大図である。
【図３】（ａ）は、全領域冷却制御時、（ｂ）は、ゾーンクーリング制御時の送風ガイド切り換え手段の作動状態を示す図である。
【図４】図１に示したペーパーパック自動販売機の構成を示した機能ブロック図である。
【図５】図１に示したペーパーパック自動販売機による冷却制御方法の全体制御処理を示したフローチャートである。
【図６】図１に示したペーパーパック自動販売機による冷却制御方法の制御処理手順を示したフローチャートである。
【図７】ペーパーパック自動販売機の運転時における冷却制御方法の処理手順を示すフローチャートである。
【図８】ペーパーパック自動販売機の庫内温度およびＮＥＸＴ商品の温度に基づくプルダウン時間との相関図である。
【図９】ペーパーパック自動販売機の庫内温度およびＮＥＸＴ商品の温度に基づくプルダウン時間との相関図である。
【符号の説明】
１    ペーパーパック自動販売機
１０  キャビネット本体
２０  前面外扉
２１  ラック
２３  商品取出口
２５  水平コンべア
３０  冷却装置
３１  エバポレータ（冷却器）
３２  送風ファン
３３  風胴
３４  コンデンシングユニット
３５  送風モータ
３６  サーミスタ
３９  送風切り換え制御装置
４０  吹出ダクト
４１  開口部
４２  送風切り換えガイド手段
４３  送風口
４５  送風ガイド板
４６  回動軸
５０  電磁ソレノイド
【図１】
2004258784.tif 000003
【図２】
2004258784.tif 000004
【図３】
2004258784.tif 000005
【図４】
2004258784.tif 000006
【図５】
2004258784.tif 000007
【図６】
2004258784.tif 000008
【図７】
2004258784.tif 000009
【図８】
2004258784.tif 000010
【図９】
2004258784.tif 000011